(57)【要約】      （修正有）【課題】装着者の鼻孔および口を覆うフィルタ部材を備えたマスクであって、装着時に、マスクの保持にかかる部位の痛みを抑制することができるマスクを提供する。【解決手段】マスク１００は、フィルタ部と紐部材２０とを備えている。紐部材２０は、第１紐部材２１と第２紐部材２２とを備えている。第１紐部材２１の一端２１ａおよび他端２１ｂが、左縁部１３および右縁部１４にそれぞれ取り付けられる。第２紐部材２２の一端２２ａおよび他端２２ｂが、左縁部１３および右縁部１４にそれぞれ取り付けられる。これによれば、マスクの装着時において、第１紐部材２１および第２紐部材２２は、装着者の後頚部を囲むように配置され得る。従って、マスクの保持が、装着者の耳に対し紐部材を引掛けることなく達成され、マスクの保持にかかる部位の痛みが、抑制され得る。【選択図】図１
0003229006.tif 000002
【実用新案登録請求の範囲】
【請求項１】
上縁部と、前記上縁部よりも下側に位置する下縁部と、前記上縁部および前記下縁部の各左端とそれぞれ接続される左縁部と、前記上縁部および前記下縁部の各右端とそれぞれ接続される右縁部とを備え、前記上縁部が装着者の鼻孔よりも上側に配置されるとともに、前記下縁部が前記装着者の口よりも下側に配置されることで、前記鼻孔および前記口を覆い呼吸気をフィルタ可能に構成されたフィルタ部材と、
前記フィルタ部材の前記左縁部および前記右縁部に対し、両端が取り付けられた紐部材と、
を備えたマスクにおいて、
前記紐部材は、
少なくとも、第１紐部材と、第２紐部材との２本で構成され、
前記第１紐部材の一端および他端が、前記左縁部および前記右縁部にそれぞれ取り付けられるとともに、前記第２紐部材の一端および他端が、前記左縁部および前記右縁部にそれぞれ取り付けられるように構成されたマスク。
【請求項２】
請求項１に記載のマスクにおいて、
前記紐部材は、
前記第１紐部材の一端の取り付け部位が、前記第２紐部材の一端の取り付け部位よりも、前記フィルタ部材の前記上縁部側に位置するとともに、
前記第１紐部材の他端の取り付け部位が、前記第２紐部材の他端の取り付け部位よりも、前記フィルタ部材の前記下縁部側に位置するように構成されたマスク。
【請求項３】
請求項２に記載のマスクにおいて、
前記紐部材は、
前記第１紐部材の一端の取り付け部位が、前記左縁部であって前記上縁部の左端に位置し、前記第２紐部材の一端の取り付け部位が、前記左縁部であって前記下縁部の左端に位置するとともに、
前記第１紐部材の他端の取り付け部位が、前記右縁部であって前記下縁部の右端に位置し、前記第２紐部材の他端の取り付け部位が、前記右縁部であって前記上縁部の右端に位置するように構成されたマスク。
【請求項４】
請求項２または請求項３に記載のマスクにおいて、
前記紐部材は、
前記第１紐部材および前記第２紐部材の長さが、同一であり、
前記装着者により装着される場合、前記第１紐部材および前記第２紐部材が、前記装着者の後頚部と当接するとともに、前記後頚部において互いに交差するように構成されたマスク。
【請求項５】
請求項１乃至請求項４の何れか一項に記載のマスクにおいて、
前記紐部材は、
伸縮性を有する材料にて構成されたマスク。
【請求項６】
請求項１乃至請求項５の何れか一項に記載のマスクにおいて、
前記フィルタ部材は、
不織布材料にて構成されたマスク。
【請求項７】
請求項１乃至請求項６の何れか一項に記載のマスクにおいて、
前記フィルタ部材は、
前記上縁部に、塑性変形可能な細長状の板部材を更に備えるように構成されたマスク。
【請求項８】
請求項１乃至請求項７の何れか一項に記載のマスクにおいて、
前記フィルタ部材は、
前記上縁部、前記下縁部、前記左縁部、および前記右縁部が、それぞれ直線状であり、
前記上縁部および前記下縁部が互いに平行かつ長辺となり、前記左縁部および前記右縁部が互いに平行かつ短辺となる長方形状に構成されたマスク。
【請求項９】
請求項８に記載のマスクにおいて、
前記フィルタ部材は、
前記上縁部および前記下縁部と互いに平行な折り目を更に備えるように構成されたマスク。
【考案の詳細な説明】
【技術分野】
【０００１】
本考案は、装着者の鼻孔および口を覆い、呼吸気をフィルタ可能に構成されたフィルタ部材を備えたマスクに関する。
【背景技術】
【０００２】
一般的に、マスクとして、フィルタ部材と、紐部材とを備えたものが知られている。この種のマスクにおいては、紐部材が、フィルタ部材の左縁部および右縁部に対し、それぞれ一本ずつ取り付けられている。具体的には、一方の紐部材における両端が、左縁部に取り付けられる。他方の紐部材における両端が、右縁部に取り付けられる。各紐部材は、装着者のそれぞれの耳に引掛けられる。これにより、フィルタ部材が装着者の鼻孔および口を覆うように、マスクが保持され得る（例えば、特許文献１を参照）。
【先行技術文献】
【特許文献】
【０００３】
【特許文献１】実用新案登録第３２２６５２９号公報
【考案の概要】
【０００４】
マスクにおいては、その装着時において、マスクの保持にかかる部位の痛みを抑制する要望がある。上述のマスクによれば、装着時において、紐部材が耳に引掛けられる。このため、長時間の装着時において、耳の紐部材との当接部位に痛みが生じる場合がある。したがって、上述の要望に応えることが困難である。
【０００５】
本考案の目的は、装着者の鼻孔および口を覆うフィルタ部材を備えたマスクであって、その装着時において、マスクの保持にかかる部位の痛みを抑制することができるものを提供することにある。
【０００６】
本考案によるマスクは、上縁部と、上縁部よりも下側に位置する下縁部と、上縁部および下縁部の各左端とそれぞれ接続される左縁部と、上縁部および下縁部の各右端とそれぞれ接続される右縁部とを備え、上縁部が装着者の鼻孔よりも上側に配置されるとともに、下縁部が装着者の口よりも下側に配置されることで、鼻孔および口を覆い呼吸気をフィルタ可能に構成されたフィルタ部材と、フィルタ部材の左縁部および右縁部に対し、両端が取り付けられた紐部材と、を備える。
【０００７】
本考案によるマスクの特徴は、紐部材が、少なくとも、第１紐部材と、第２紐部材との２本で構成され、第１紐部材の一端および他端が、左縁部および右縁部にそれぞれ取り付けられるとともに、第２紐部材の一端および他端が、左縁部および右縁部にそれぞれ取り付けられるように構成されたことにある。
【０００８】
これによれば、マスクの装着時において、フィルタ部材は、装着者の鼻孔および口を覆うように配置される。第１紐部材および第２紐部材は、装着者の後頚部を囲むように配置され得る。すなわち、マスクの保持が、装着者の耳に対し紐部材を引掛けることなく達成され得る。従って、マスクの保持にかかる部位の痛みが、抑制され得る。
【０００９】
上記考案に係るマスクにおいては、紐部材が、第１紐部材の一端の取り付け部位が第２紐部材の一端の取り付け部位よりもフィルタ部材の上縁部側に位置するとともに、第１紐部材の他端の取り付け部位が第２紐部材の他端の取り付け部位よりもフィルタ部材の下縁部側に位置するように構成されてもよい。
【００１０】
また、上記紐部材が、第１紐部材の一端の取り付け部位が左縁部であって上縁部の左端に位置し、第２紐部材の一端の取り付け部位が左縁部であって下縁部の左端に位置するとともに、第１紐部材の他端の取り付け部位が右縁部であって下縁部の右端に位置し、第２紐部材の他端の取り付け部位が右縁部であって上縁部の右端に位置するように構成されると好適である。
【００１１】
上記考案に係るマスクにおいては、紐部材が、第１紐部材および第２紐部材の長さが同一であり、装着者により装着される場合、第１紐部材および第２紐部材が装着者の後頚部と当接するとともに後頚部において互いに交差するように構成されると好適である。
【００１２】
上記考案に係るマスクにおいては、紐部材が、伸縮性を有する材料にて構成されてもよい。
【００１３】
上記考案に係るマスクにおいては、フィルタ部材が、不織布材料にて構成されてもよい。
【００１４】
上記考案に係るマスクにおいては、フィルタ部材が、上縁部に、塑性変形可能な細長状の板部材を更に備えるように構成されてもよい。
【００１５】
上記考案に係るマスクにおいては、フィルタ部材が、上縁部、下縁部、左縁部、および右縁部がそれぞれ直線状であり、上縁部および下縁部が互いに平行かつ長辺となり、左縁部および右縁部が互いに平行かつ短辺となる長方形状に構成されてもよい。
【００１６】
上記考案に係るマスクにおいては、フィルタ部材が、上縁部および下縁部と互いに平行な折り目を更に備えるように構成されてもよい。
【図面の簡単な説明】
【００１７】
【図１】本考案の実施形態に係るマスクの構成図である。
【図２】図１に示したマスクを構成する各要素と装着者の顔面との位置関係を説明するための図である。
【図３】図１に示したマスクを構成する各要素と装着者の後頚部との位置関係を説明するための図である。
【考案を実施するための形態】
【００１８】
以下、本考案によるマスクの実施形態について図面を参照しつつ説明する。
【００１９】
図１は、本考案の実施形態に係るマスク１００の構成図である。マスク１００は、フィルタ部材１０と、紐部材２０とを備えている。装着時には、紐部材２０を介して、フィルタ部材１０が装着者の鼻孔および口を覆うように、装着者の顔面に保持される。これにより、呼吸気がフィルタ可能となっている。
【００２０】
フィルタ部材１０は、装着者の鼻孔および口を覆うことが可能なサイズに、且つ、長方形状に形成されている。材料としては、ポリエステル、ポリウレタン等を原料とする不織布が使用される。フィルタ部材１０は、上縁部１１と、下縁部１２と、左縁部１３と、右縁部１４と、板部材１５と、折り目部１６とを備えている。
【００２１】
上縁部１１および下縁部１２は、それぞれ直線状であり、互いに平行である。すなわち、上縁部１１および下縁部１２は、上記長方形状の長辺となっている。装着時において、上縁部１１は、その中央が、装着者の鼻梁と当接するように形成されている。下縁部１２は、装着者の口よりも下側に位置するように形成されている。すなわち、下縁部１２は、上縁部１１よりも下側に位置することになる。
【００２２】
左縁部１３および右縁部１４は、それぞれ直線状であり、互いに平行である。すなわち、左縁部１３および右縁部１４は、上記長方形状の短辺となっている。左縁部１３は、その一端が、上縁部１１の左端１１ａと接続されるように形成されている。左縁部１３の他端は、下縁部１２の左端１２ａと接続されている。右縁部１４は、その一端が、上縁部１１の右端１１ｂと接続されるように形成されている。右縁部１４の他端は、下縁部１２の右端１２ｂと接続されている。装着時において、左縁部１３および右縁部１４は、装着者の口の左右端よりも各耳側に、それぞれ位置するように形成されている。
【００２３】
紐部材２０は、第１紐部材２１と、第２紐部材２２とを備えている。第１紐部材２１および第２紐部材２２の長さは同一であり、装着時において、それぞれが、装着者の耳を介して後頚部まで回り込むことが可能なように、長さが調整されている。材料としては、ゴム等の伸縮性を有する材料が使用される。第１紐部材２１の一端２１ａは、左縁部１３に取り付けられ、その他端２１ｂは、右縁部１４に取り付けられている。第２紐部材２２の一端２２ａは、左縁部１３に取り付けられ、その他端２２ｂは、右縁部１４に取り付けられている。
【００２４】
より具体的には、第１紐部材２１の一端２１ａの取り付け部位は、左縁部１３であって、上縁部１１の左端１１ａに位置している。第２紐部材２２の一端２２ａの取り付け部位は、左縁部１３であって、下縁部１２の左端１２ａに位置している。第１紐部材２１の他端２１ｂの取り付け部位は、右縁部１４であって、下縁部１２の右端１２ｂに位置している。第２紐部材２２の他端２２ｂの取り付け部位は、右縁部１４であって、上縁部１１の右端１１ｂに位置している。
【００２５】
板部材１５は、金属等の塑性変形可能な材料で、細長状に形成されている。板部材１５は、上縁部１１と平行に、上縁部１１に配置されている。板部材１５は、装着者の鼻梁の形状に応じて湾曲し、湾曲後の形状が保持されるようになっている。
【００２６】
折り目部１６は、上縁部１１および下縁部１２と互いに平行な複数の折り目となるように形成されている。折り目部１６は、山折り（図中の実線で表示）と、谷折り（図中の破線）とが、交互となるように備えられている。折り目部１６の左右両端は、左縁部１３および右縁部１４にてそれぞれ留められており、フィルタ部材１０がプリーツ状を呈するようになっている。
【００２７】
図２は、本考案の実施形態に係るマスク１００を構成する各要素と、装着者の顔面との位置関係を説明するための図である。この図は、装着者により、マスク１００が装着されている状態を示している。
【００２８】
フィルタ部材１０は、装着者の鼻孔および口を覆うように、装着者の顔面に保持される。板部材１５は、鼻梁の形状に応じて湾曲し、湾曲後の形状が保持される。これにより、上縁部１１において、フィルタ部材１０と、顔面との間に間隙が生じることを抑制できる。折り目部１６は、フィルタ部材１０が顔面の凹凸に追従するように開く。これにより、フィルタ部材１０に覆われることによる煩わしさを、低減することができる。
【００２９】
第１紐部材２１は、右縁部１４に位置する他端２１ｂを起点として、装着者の後頚部に回り込む。第２紐部材２２は、右縁部１４に位置する他端２２ｂを起点として、装着者の耳部を経由して、後頚部に回り込む。この第１紐部材２１および第２紐部材２２は、後述のように、各一端２１ａ、２２ａが左縁部１３とそれぞれ接続されている。したがって、第１紐部材２１および第２紐部材２２は、装着者の後頚部を囲むように配置される。
【００３０】
図３は、本考案の実施形態に係るマスク１００を構成する各要素と、装着者の後頚部Ｐとの位置関係を説明するための図である。この図も、図２と同様に、装着者により、マスク１００が装着されている状態を示している。
【００３１】
第１紐部材２１は、上述のように他端２１ｂを起点として、装着者の後頚部Ｐ（一点鎖線で示す領域）および耳部をこの順で経由して、左縁部１３に位置する一端２１ａが終点となるよう配置されている。第２紐部材２２は、上述のように他端２２ｂを起点として、装着者の耳部および後頚部Ｐをこの順で経由して、左縁部１３に位置する一端２２ａが終点となるよう配置されている。
【００３２】
ここにおいて、第１紐部材２１および第２紐部材２２は、装着者の後頚部Ｐと当接するとともに、後頚部Ｐにおいて互いに交差する。これにより、マスク１００を保持する際、第１紐部材２１および第２紐部材２２が、両方とも後頚部Ｐを介して配置される。したがって、装着時において位置決めがし易く、また、マスク１００のズレも抑制することができる。
【００３３】
以上、本考案の実施形態に係るマスク１００によれば、マスク１００の保持が、装着者の耳に対し紐部材を引掛けることなく達成され得る。例えば、紐部材を各耳に引掛けて保持する場合には、保持にかかる張力が各耳に集中することになり、痛みが発生しやすい。これに対し、本実施形態においては、第１紐部材２１および第２紐部材２２が、装着者の後頚部Ｐに当接するように配置される。このため、マスク１００の保持にかかる張力が分散され得、マスク１００の保持にかかる部位の痛みが、抑制され得る。
【００３４】
なお、本考案によるマスクにおける構成要素の形状、材料等は、実用新案登録請求の範囲のものであればよく、上記実施形態のものに限定されない。
【００３５】
上記実施形態に係るマスク１００においては、第１紐部材２１および第２紐部材２２は、装着者の後頚部Ｐと当接するとともに、後頚部Ｐにおいて互いに交差している。これにかえて、例えば、第１紐部材２１および第２紐部材２２が、互いに交差しないよう、フィルタ部材１０に取り付けられてもよい。
【００３６】
この場合、第１紐部材２１および第２紐部材２２は、下記のように取り付けられてもよい。第１紐部材２１の一端２１ａの取り付け部位は、左縁部１３であって、上縁部１１の左端１１ａに位置し、他端２１ｂの取り付け部位は、右縁部１４であって、上縁部１１の右端１１ｂに位置する。第２紐部材２２の一端２２ａの取り付け部位は、左縁部１３であって、下縁部１２の左端１２ａに位置し、他端２２ｂの取り付け部位は、右縁部１４であって、下縁部１２の右端１２ｂに位置する。
【００３７】
また、上記実施形態に係るマスク１００においては、第１紐部材２１の一端２１ａおよび第２紐部材２２の一端２２ａの取り付け部位は、上縁部１１の左端１１ａおよび下縁部１２の左端１２ａにそれぞれ位置している。加えて、第１紐部材２１の他端２１ｂおよび第２紐部材２２の他端２２ｂの取り付け部位は、下縁部１２の右端１２ｂおよび上縁部１１の右端１１ｂにそれぞれ位置している。すなわち、紐部材２０が、長方形状の四隅に取り付けられている。
【００３８】
これにかえて、例えば、紐部材２０が、長方形状の四隅をはずして取り付けられてもよい。この場合、第１紐部材２１の一端２１ａの取り付け部位が、左縁部１３において、第２紐部材２２の一端２２ａの取り付け部位よりも、上縁部１１側に位置する。加えて、第１紐部材２１の他端２１ｂの取り付け部位が、右縁部１４において、第２紐部材２２の他端２２ｂの取り付け部位よりも、下縁部１２側に位置する。
【符号の説明】
【００３９】
１００…マスク、１０…フィルタ部材、１１…上縁部、１１ａ…上縁部の左端、１１ｂ…上縁部の右端、１２…下縁部、１２ａ…下縁部の左端、１２ｂ…下縁部の右端、１３…左縁部、１４…右縁部、１５…板部材、１６…折り目部、２０…紐部材、２１…第１紐部材、２２…第２紐部材、２１ａ…第１紐部材の一端、２１ｂ…第１紐部材の他端、２２ａ…第２紐部材の一端、２２ｂ…第２紐部材の他端、Ｐ…後頚部
【図１】
0003229006.tif 000003
【図２】
0003229006.tif 000004
【図３】
0003229006.tif 000005